(57)【要約】【課題】  専用の入力キーを必要とせず、携帯電話機のように小型化された装置であっても、背景画像を一定時間毎に自動的に切り替えることができるようにする。【解決手段】  壁紙表示プログラム１０６は、携帯電話機１００の電源が投入されると、壁紙表示設定ファイル１０７を読み込み、カウンタ値と、イメージファイルの表示順序を読み込み、対応するイメージファイル〔ｉｍｇ  Ｘ（１≦Ｘ≦Ｎ）〕を表示部１０３に表示する。次に、壁紙表示設定ファイル１０７内のカウンタが、壁紙表示設定ファイル１０７に記述された表示枚数最大値（表示総枚数）に達していない場合、１増加させて壁紙表示設定ファイル１０７に上書きする。表示枚数最大値に達していた場合、カウンタ値を０にセットして壁紙表示設定ファイル１０７に上書きする。この後、予め定められた時間である表示間隔Ｔが経過すると、壁紙表示プログラム１０６はタイマ１０３により起動される。【選択図】  図２
2005167917.tif 000002
【特許請求の範囲】
【請求項１】
表示手段と、
前記表示手段に表示する背景画像を予め定められた時間毎に切り替えるための背景画像表示設定情報を格納する格納手段と、
前記表示手段に表示する背景画像を前記背景画像表示設定情報に基づいて予め定められた時間毎に切り替える制御手段とを備えたことを特徴とする携帯電話装置。
【請求項２】
操作入力を受ける入力手段を備え、
前記背景画像表示設定情報は、前記入力手段からの入力に基づいて前記制御手段からの制御により変更されることを特徴とする請求項１記載の携帯電話装置。
【請求項３】
前記背景画像表示設定情報は、表示手段に表示する背景画像を切り替える切り替え時間の設定を含み、
該切り替え時間は、前記入力手段からの入力により前記制御手段からの制御によって変更されることを特徴とする請求項２記載の携帯電話装置。
【請求項４】
前記背景画像表示設定情報は、予め定められた時間毎に切り替えて表示手段に表示する各背景画像の指定情報の設定を含み、
該指定情報は、前記入力手段からの入力により前記制御手段からの制御によって変更されることを特徴とする請求項２または３記載の携帯電話装置。
【請求項５】
前記背景画像表示設定情報は、前記指定情報により指定された各背景画像の表示順序を設定した表示順序情報を含み、
該表示順序情報は、前記入力手段からの入力により前記制御手段からの制御によって変更されることを特徴とする請求項４記載の携帯電話装置。
【請求項６】
前記背景画像表示設定情報は、切り替えに用いる背景画像の総枚数を設定した総枚数情報を含み、
該総枚数情報は、前記入力手段からの入力により前記制御手段からの制御によって変更されることを特徴とする請求項２から５の何れか１項に記載の携帯電話装置。
【請求項７】
前記格納手段は、複数の画像データを格納し、
前記背景画像は、前記格納手段に格納された複数の画像データの中から選択されることを特徴とする請求項１から６の何れか１項に記載の携帯電話装置。
【発明の詳細な説明】
【技術分野】
【０００１】
本発明は、例えばＬＣＤ（Liquid Crystal Display）などの表示手段を備え、その表示手段に背景画像を表示する携帯電話装置に関する。
【背景技術】
【０００２】
従来より、不揮発性メモリなどの格納手段を備え、その格納手段に格納された画像を背景画像として表示画面に表示する携帯電話装置がある。
例えば、特許文献１の携帯型通信端末は、特定の入力キーをオン操作することにより、そのオン操作に対応して、画面に表示される壁紙の画像を切り替えるものである。
【０００３】
また、特許文献２のものは、光ディスクに記録されている画像データを再生する画像再生装置であって、光ディスクの再生中、所定時間以上静止した画像が表示されたとき、光ディスクから画像メモリに記憶されているスクリーンセーバ画面の画像を、一定時間以上静止しない画像として表示するものである。
【特許文献１】特開２００２−３００２４１号公報
【特許文献２】特開２００３−６９９５５号公報
【発明の開示】
【発明が解決しようとする課題】
【０００４】
しかしながら、上述した従来の携帯電話装置では、同じ背景画像を長く見続けることによりユーザが飽きてきてしまうことがある。
また、上述した特許文献１のものは、画像の切り替えをユーザが特定の入力キーにより入力する必要があり、一定時間毎に切り替わるといった自動的な切り替えについてまで考慮されたものではない。さらに、操作部に特定の入力キーを備える必要があり、携帯電話機のように小型化された装置では操作部分のレイアウトとして複雑化してしまう虞があった。
【０００５】
また、上述した特許文献２のものは、所定時間以上静止した画像が表示されたときにスクリーンセーバ画面とするものであり、飽きがこないように一定時間毎に背景画像を順次切り替えていくことについて考慮したものではない。
また、画像データを格納した光ディスクの再生が必要であり、携帯電話機のように小型化された装置に用いることについて考慮されたものではない。
【０００６】
本発明はこのような状況に鑑みてなされたものであり、専用の入力キーを必要とせず、携帯電話機のように小型化された装置であっても、背景画像を一定時間毎に自動的に切り替えることができる携帯電話装置を提供することを目的とする。
【課題を解決するための手段】
【０００７】
かかる目的を達成するために、本発明に係る携帯電話装置は、表示手段と、表示手段に表示する背景画像を予め定められた時間毎に切り替えるための背景画像表示設定情報を格納する格納手段と、表示手段に表示する背景画像を背景画像表示設定情報に基づいて予め定められた時間毎に切り替える制御手段とを備えたことを特徴とする。
【０００８】
操作入力を受ける入力手段を備え、上記した背景画像表示設定情報は、入力手段からの入力に基づいて制御手段からの制御により変更されることが好ましい。
【０００９】
上記した背景画像表示設定情報は、表示手段に表示する背景画像を切り替える切り替え時間の設定を含み、該切り替え時間は、入力手段からの入力により制御手段からの制御によって変更されることが好ましい。
【００１０】
上記した背景画像表示設定情報は、予め定められた時間毎に切り替えて表示手段に表示する各背景画像の指定情報の設定を含み、該指定情報は、入力手段からの入力により制御手段からの制御によって変更されることが好ましい。
【００１１】
上記した背景画像表示設定情報は、指定情報により指定された各背景画像の表示順序を設定した表示順序情報を含み、該表示順序情報は、入力手段からの入力により制御手段からの制御によって変更されることが好ましい。
【００１２】
上記した背景画像表示設定情報は、切り替えに用いる背景画像の総枚数を設定した総枚数情報を含み、該総枚数情報は、入力手段からの入力により制御手段からの制御によって変更されることが好ましい。
【００１３】
上記した格納手段は、複数の画像データを格納し、上記した背景画像は、格納手段に格納された複数の画像データの中から選択されることが好ましい。
【発明の効果】
【００１４】
以上のように、本発明によれば、専用の入力キーを必要とせず、携帯電話機のように小型化された装置であっても、背景画像を予め定められた時間毎に自動的に切り替えることができる。
このため、同じ背景画像を見続けることによりユーザが飽きてしまうことを、ユーザに手間をかけさせることなく効果的に防止することができる。
【発明を実施するための最良の形態】
【００１５】
次に、本発明に係る携帯電話装置を図面を用いて詳細に説明する。
本発明は、一定時間経過毎に、壁紙（背景画像）に設定するイメージファイルを別のイメージファイルに自動変更する機能を備えた携帯電話システムを提供するものであり、換言すれば、携帯電話機が壁紙として表示するイメージファイルを、携帯電話機本体に格納された別のイメージファイルに一定時間後、自動変更できる構成を提供するものである。
【００１６】
本実施形態としての携帯電話機１００は、図１に示すように、ＣＰＵ１０１と、タイマ１０２と、表示部１０３と、操作部（入力手段）１０４と、本体内蔵の不揮発メモリ（格納手段）１０５と、各機能部分を接続するバス１１０とを備えて構成される。
【００１７】
本体内蔵の不揮発メモリ１０５は、壁紙表示プログラム１０６と、壁紙表示設定ファイル１０７と、イメージファイル〔ｉｍｇ  １〜Ｎ〕２００と、その他のプログラムと各種ファイルとを格納する。
壁紙表示設定ファイル１０７は、工場出荷時において、設定済みの壁紙として表示するイメージファイルの表示順序と、初期値０のカウンタと、表示間隔Ｔの初期設定値とを格納する。
【００１８】
ここで、ＣＰＵ１０１が、不揮発メモリ１０５に格納された壁紙表示プログラム１０６など各種の制御プログラムによって携帯電話機１００の制御を行うことにより、携帯電話機１００の制御手段として機能する。
また、本実施形態としての携帯電話機１００は、不図示のマイク（送話部）、スピーカ（受話部）、無線通信部をさらに備えることにより、携帯電話としての音声送受信、メール送受信など、携帯電話機として周知の各機能を実現している。
【００１９】
壁紙表示プログラム１０６は、携帯電話機１００の電源が投入されると、壁紙表示設定ファイル１０７を読み込み、壁紙表示設定ファイル１０７に記述されたカウンタ値と、イメージファイルの表示順序を読み込み、対応するイメージファイル〔ｉｍｇ  Ｘ（１≦Ｘ≦Ｎ）〕を表示部１０３に表示する。
次に、タイマ１０２を壁紙表示設定ファイル１０７に設定されている表示間隔Ｔが経過すると通知が上がるように設定する。次に、壁紙表示設定ファイル１０７内のカウンタが、壁紙表示設定ファイル１０７に記述された表示枚数最大値（表示総枚数）に達していない場合、１増加させて壁紙表示設定ファイル１０７に上書きする。表示枚数最大値に達していた場合、カウンタ値を０にセットして壁紙表示設定ファイル１０７に上書きする。
この後、予め定められた時間である表示間隔Ｔが経過すると、壁紙表示プログラム１０６はタイマ１０３により起動される。
このようにして、壁紙に設定するイメージファイルを別のイメージファイルに、自動で変更することを可能にする。
【００２０】
上述したイメージファイル２００としては、例えば、イメージファイル〔ｉｍｇ  １〕として工場出荷時に内蔵されたＪＰＥＧイメージファイル、イメージファイル〔ｉｍｇ  ２〕としてネットワークを介してダウンロードしたＧＩＦイメージファイル等を考えることができる。
また、カメラを内蔵した携帯電話機の場合は、撮影した画像ファイルを壁紙用のイメージファイルとして使用することもできる。
【００２１】
すなわち、本体内蔵の不揮発メモリ１０５が格納するイメージファイル２００は、例えば工場出荷時に内蔵されたＪＰＥＧイメージファイル〔ｉｍｇ  １〕、ダウンロードしたＧＩＦイメージファイル〔ｉｍｇ  ２〕、内蔵されたカメラにより撮影されたイメージファイル〔ｉｍｇ  ３〕・・・など各種のものであってよい。
【００２２】
次に、図１、図２を参照して本実施形態における壁紙表示の自動切り替え動作について、詳細に説明する。なお図１、図２とも本発明に関連する部分のみ記述し、他の一般的な携帯電話機の機能については省略している。
【００２３】
まず、電源投入後、ＣＰＵ１０１が携帯電話機１００のハードウェア及びソフトウェアの初期化プログラム実行した後、壁紙表示プログラム１０６に制御がわたる（ステップＳ１）。壁紙表示プログラム１０６は、本体内蔵の不揮発メモリ１０５に内蔵された壁紙表示設定ファイル１０７を読みだす（ステップＳ２）。壁紙表示プログラム１０６は、壁紙表示設定ファイル１０７に記述されたカウンタ値と、イメージファイル表示順序に対応するイメージファイル〔ｉｍｇ  Ｘ（１≦Ｘ≦Ｎ）〕とを本体内蔵の不揮発メモリ１０５から読み出し、ＣＰＵ１０１の制御により表示部１０３に表示させる（ステップＳ３）。
【００２４】
次に、壁紙表示設定ファイル１０７に記述された表示間隔Ｔをタイマ１０３にセットする（ステップＳ４）。次に、カウンタ値と壁紙表示設定ファイル１０７に記述された表示枚数最大値とを比較する（ステップＳ５）。カウンタ値が、表示枚数最大値に達していた場合、カウンタ値を０にセットして壁紙表示設定ファイル１０７に上書きする（ステップＳ６）。カウンタ値が表示枚数最大値に達してしていない場合、１増加させて壁紙表示設定ファイル１０７に上書きする（ステップＳ７）。
【００２５】
以上の処理が終了すると、壁紙表示プログラム１０６はスリープする。時間Ｔ経過後、壁紙表示プログラム１０６はタイマ１０３により起動され、再度ステップＳ１からの上述した動作を繰り返すこととなる。
【００２６】
また、壁紙表示設定ファイル１０７を編集可能とするユーザインタフェースを備えることで、イメージファイルの表示総枚数（表示枚数最大値）、表示順序、表示間隔Ｔを変更することが可能となる。壁紙表示設定ファイル１０７の内容をユーザが編集する時に、表示部１０３に表示されるインタフェース例を図３に示す。
【００２７】
この変更を行う場合、ユーザはメイン画面などから所定の操作により設定編集モードを呼び出すことで、例えば図３に示されるような編集画面を表示させる。
ここで、図３の画面を例として、切り替える壁紙の総枚数の設定値を編集する場合、ユーザは操作部１０４により「切り替える壁紙総枚数」を選択し、操作部１０４により希望する枚数を入力する。
【００２８】
また、イメージファイルの表示順序の設定を編集する場合、ユーザは操作部１０４により「表示順序」を選択し、操作部１０４により希望する表示順序を入力する。図３に示す例では、最初にイメージファイル〔ｉｍｇ  １〕を表示し、２番目にイメージファイル〔ｉｍｇ  ３〕を、３番目にイメージファイル〔ｉｍｇ  ５〕を、４番目にイメージファイル〔ｉｍｇ  ２〕を、５番目にイメージファイル〔ｉｍｇ  ７〕と表示するという表示順序が設定されている。
【００２９】
また、表示するイメージファイルを切り替えていく時間間隔を編集する場合、ユーザは操作部１０４により「表示間隔」を選択し、操作部１０４により希望する表示間隔を入力する。図３に示す例では、入力する単位は「分」になっており、１０分ごとに表示するイメージファイルを切り替える設定になっている。
【００３０】
以上のように編集画面から操作することにより、ユーザは、希望する表示総枚数、表示順序、表示間隔を希望するように設定し、本携帯電話機１００に壁紙の自動切り替えを実行させることができる。
【００３１】
以上により、本実施形態によれば、以下の効果が得られる。
第１の効果は、携帯電話が壁紙として表示するイメージファイルを、携帯電話本体に内蔵された別のイメージファイルに携帯端末操作者（ユーザ）が意識することなしに変更させることができる。すなわち、携帯電話機１００の壁紙を一定時間後自動的に変更可能とすることができる。
その理由は、壁紙に使用するイメージファイルを自動的に変更する仕組みを備えているためである。
【００３２】
第２の効果は、壁紙として設定するイメージファイルの設定、表示順序の設定、表示枚数の設定、表示間隔Ｔの設定を、ユーザが行うことができることにある。
その理由は、壁紙表示設定ファイルを編集できるユーザインタフェース（編集画面）を備え、その編集画面によりユーザが編集可能とする構成を備えているからである。
【００３３】
なお、上述した各実施形態は、本発明の好適な実施形態であり、本発明の主旨を逸脱しない範囲内において、種々変形して実施することが可能である。
例えば、タイマ１０２は、ハードウェアとして備えてもよく、不揮発性メモリ１０５に格納されたプログラムによりＣＰＵ１０１が処理を行うことにより実現してもよい。
また、操作部１０４は、電話番号入力ボタン、方向入力キー、ジョグダイアルなど、設計思想や機能に応じて各種のものを備えていてよい。
【図面の簡単な説明】
【００３４】
【図１】本発明の実施形態としての携帯電話機１００の構成の概要を示すブロック図である。
【図２】本実施形態の動作例を示すフローチャートである。
【図３】携帯電話機１００における壁紙表示設定ファイル１０７の編集画面例を示す図である。
【符号の説明】
【００３５】
１００    携帯電話機
１０１    ＣＰＵ
１０２    タイマ
１０３    表示部（表示手段）
１０４    操作部（入力手段）
１０５    不揮発メモリ（格納手段）
１０６    壁紙表示プログラム
１０７    壁紙表示設定ファイル（背景画像表示設定情報）
１１０    バス
２００    イメージファイル〔ｉｍｇ  １〜Ｎ〕（画像データ）
【図１】
2005167917.tif 000003
【図２】
2005167917.tif 000004
【図３】
2005167917.tif 000005